(57)【要約】本発明のシステムによれば、患者接続機器により得られた患者監視データを、ワイヤレス信号で患者モニタプロセッサなどのような他の機器へ伝送できるようになる。同じ患者接続機器が、患者の位置に応じて患者モニタプロセッサまたは中央ステーションへデータを伝送するために用いられる。この場合、パーソナルエリアネットワークとテレメトリ／伝送アプリケーションの両方のために、ただ１つの機器が使用される。同じワイヤレステクノロジーが両方の状況において使用され、２つ以上のアンテナ／受信機システムを配置する必要がなくなる。Ｂｌｕｅｔｏｏｔｈなど既存のワイヤレス伝送プロトコルが使用され、それによれば２つの通信機器が接近したときに伝送電力が低減される。
2004518483.tif 000002
【特許請求の範囲】
【請求項１】
患者エリアネットワークにおいて、
ａ）少なくとも１つの患者接続機器が設けられており、該機器は、患者から少なくとも１つの生理学的パラメータを検出して記憶するセンサと、患者モニタプロセッサと通信を行う無線周波数トランシーバを有しており、
ｂ）患者モニタプロセッサが設けられており、該プロセッサは、前記患者接続機器からワイヤレスで生理学的データを受信し、該患者接続機器にワイヤレスで命令を伝送し、該患者モニタプロセッサは、
ｉ）１つのセル内のマスタステーション
ｉｉ）１つのセル内のスレーブステーション
の一方として動作することを特徴とする、
患者エリアネットワーク。
【請求項２】
前記患者モニタプロセッサは、各患者接続機器から受け取った生理学的データを表示し、各患者接続機器から受け取った生理学的データを解釈し、各患者接続機器の動作を他のすべての患者接続機器と同期させる、請求項１記載の患者エリアネットワーク。
【請求項３】
各患者接続機器からのデータを送信および受信する中央ステーションが設けられている、請求項２記載の患者エリアネットワーク。
【請求項４】
前記中央ステーションは、各患者接続機器と通信を行う無線周波数トランシーバを有している、請求項３記載の患者エリアネットワーク。
【請求項５】
患者接続機器とセル内のいずれかのデータ受信機器との接近に応答して送信電力を低減するワイヤレスデータ伝送プロトコルが用いられる、請求項４記載の患者エリアネットワーク。
【請求項６】
マスタアンテナと、該マスタアンテナと前記患者モニタプロセッサとを相互接続する延長ケーブルが設けられており、該延長ケーブルにより患者接続機器と患者モニタプロセッサとの分離が低減される、請求項５記載の患者エリアネットワーク。
【請求項７】
前記患者モニタプロセッサはウェブブラウザを有する、請求項６記載の患者エリアネットワーク。
【請求項８】
前記患者モニタプロセッサはローカルエリアネットワークと相互接続されている、請求項７記載の患者エリアネットワーク。
【請求項９】
前記ローカルエリアネットワークはインターネットコネクションを有する、請求項８記載の患者エリアネットワーク。
【請求項１０】
患者からの生理学的信号を監視する方法において、
少なくとも１つの生理学的パラメータセンサを患者に取り付けるステップと、
該生理学的パラメータセンサを第１のワイヤレストランシーバと相互接続するステップと、
生理学的データ信号を該第１のワイヤレストランシーバから患者モニタプロセッサへ伝送するステップと、
該患者モニタプロセッサを第２のワイヤレストランシーバと相互接続するステップと、
該第２のワイヤレストランシーバから前記第１のワイヤレストランシーバへ情報データを伝送するステップと、
前記患者モニタプロセッサを、
ａ）１つのワイヤレスセル内のマスターステーション、
ｂ）１つのワイヤレスセル内のスレーブステーション
の一方として選定するステップを有することを特徴とする、
患者からの生理学的信号を監視する方法。
【請求項１１】
補助プロセッサを中央ステーションと相互接続するステップと、
前記第１のワイヤレストランシーバから該補助プロセッサへデータを伝送するステップと、
該補助プロセッサから前記第１のワイヤレストランシーバへデータを伝送するステップを有する、
請求項１０記載の方法。
【請求項１２】
前記の第１のワイヤレストランシーバと補助プロセッサとの間の経路長が減少すると伝送電力を低減するワイヤレスプロトコルを用いて、前記の第１のワイヤレストランシーバと補助プロセッサとの間で通信を行うステップを有する、請求項１１記載の方法。
【請求項１３】
延長ケーブルを用いてアンテナを前記第２のワイヤレストランシーバと相互接続し、それらの間の経路長を低減するステップを有する、請求項１２記載の方法。
【請求項１４】
前記患者モニタプロセッサをウェブブラウザとして構成するステップを有する、請求項１３記載の方法。
【請求項１５】
前記患者モニタプロセッサをローカルエリアネットワークと相互接続するステップを有する、請求項１４記載の方法。
【請求項１６】
前記ローカルエリアネットワークをインターネットコネクションとリンクするステップを有する、請求項１５記載の方法。
【請求項１７】
患者からの生理学的信号を監視する方法において、
少なくとも１つの生理学的パラメータセンサを患者に取り付けるステップと、
該生理学的パラメータセンサを第１のワイヤレストランシーバと相互接続するステップと、
ａ）歩行可能患者モードとｂ）歩行不可能患者モードの少なくとも一方のために生理学的データ信号を調整するステップと、
該生理学的データ信号を前記第１のワイヤレストランシーバから患者モニタプロセッサへ伝送するステップを有することを特徴とする、
患者からの生理学的信号を監視する方法。
【請求項１８】
前記の歩行可能患者モードと歩行不可能患者モードをユーザコマンドに応じて適応的に選択するステップを有する、請求項１７記載の方法。
【請求項１９】
前記伝送ステップにおいて、歩行可能患者モードと歩行不可能患者モードの双方に対し単一の送信機を使用する、請求項１７記載の方法。
【請求項２０】
それぞれ異なるタイプの複数の生理学的パラメータセンサを患者に取り付けるステップと、
該複数の生理学的パラメータセンサを少なくとも１つのワイヤレストランシーバに相互接続するステップと、
ａ）歩行可能患者モードとｂ）歩行不可能患者モードの少なくとも一方のために、それぞれ異なるタイプの生理学的データをもつ生理学的データ信号を調整するステップと、
該生理学的データ信号を前記少なくとも１つのワイヤレストランシーバから患者モニタプロセッサへ伝送するステップを有する、
請求項１７記載の方法。
【請求項２１】
前記少なくとも１つのトランシーバにおいて対応するポートに前記生理学データ信号をダイナミックに割り当てるためにマップを利用するステップを有する、請求項２０記載の方法。
【請求項２２】
前記それぞれ異なるタイプの生理学的データには、
ａ）ＥＫＧデータ、ｂ）ＥＣＧデータ、ｃ）ＥＥＧデータ、ｄ）血圧データ、ｃ）呼吸データ、ｆ）血液パラメータデータ、ｇ）脈拍データ、ｈ）筋肉活動度関連データのうち少なくとも２つが含まれる、請求項２０記載の方法。
【発明の詳細な説明】
【０００１】
産業上の利用分野
本発明は全般的にいえば医療機器の分野に関し、詳しくは病院で治療を受ける患者によって利用されるワイヤレスデータ収集および伝送システムに関する。
【０００２】
発明の背景
典型的な患者モニタリング環境によれば、図１に描かれているように複数の電極またはセンサが患者に取り付けられて、ケーブルを介して患者モニタプロセッサと接続される。手術室では、たとえば５個、６個または１０個の心電図（ＥＫＧ）電極、ＳｐＯ２センサ、ＣＯ２センサ、１つ、２つまたは４つの圧力トランスジューサ、圧力カフ、１つまたは複数の温度トランスジューサならびにＥＥＧ電極からのケーブルを、患者とモニタリングプロセッサとの間で接続しなければならない。このことにより担当医師や看護師にとってケーブル管理が非常に複雑になるという問題点が生じる。また、患者からケーブルを取り外したり病院の他のエリアへ移送する必要のあるとき、患者のところでもつれたケーブルを解くのにかなりの時間がかかってしまうおそれがある。理想的であるのは、患者と患者モニタプロセッサとの間のケーブル接続を減らせるかすべてなくしてしまえることである。このことは１つまたは複数の患者接続機器と患者モニタプロセッサとの間で２系統のワイヤレスの伝送および受信を、同じワイヤレス技術をベースとしながら使用すれば効率的に実現できる。
【０００３】
ワイヤレスデータ収集システムはバイオメディカルの分野でよく知られている。たとえばＭｏｒｔａｒａに対し付与されたアメリカ合衆国特許Ｎｏ． ５，７０４，３５１には、多重チャネルのバイオメディカルディジタルテレメトリ送信機が開示されている。Ｍｏｒｔａｒａには、殊に心電図（ＥＫＧ）信号伝送用として９０２〜９２８ＭＨｚの帯域にある８チャネルのバイオメディカル送信機が教示されている。Ｍｏｒｔａｒａの装置には入力回路とアナログ／ディジタル変換器が設けられており、この変換器によりＥＫＧ電極からの入力信号が受信されてディジタル信号に変換され、マイクロプロセッサに入力される。ついでマイクロプロセッサはディジタル信号をシリアルディジタル出力信号に変換し、この出力信号はテレメトリ伝送のため無線周波数搬送波信号を周波数変調するために用いられる。この場合、２つの手動周波数設定スイッチにより９０２〜９２８ＭＨｚ帯域内で搬送波周波を調整可能である。これら手動スイッチの利用はＭｏｒｔａｒａの装置において使える唯一の調整であって、９０２〜９２８ＭＨｚ帯域内の特定の周波数に手動で設定できるにすぎない。入力回路とアナログ／ディジタル変換器は調整できず、あるいは種々の入力信号特性を受け入れるために整合することはできない。
【０００４】
これと同様に、Ｓｃｈｍｉｄｔ等に付与されたアメリカ合衆国特許Ｎｏ． ５，７５５，２３０によって開示されている装置は、たとえばＥＥＧなど生理学的信号を監視し、高周波により受信機へ信号を伝送する。Ｍｏｒｔａｒａの装置と同様、Ｓｃｈｍｉｄｔ等の装置も、様々な生理学的センサからの入力を受け取るために変更したり調整したりすることはできない。
【０００５】
ＤＹＮＡＭＩＣ ＣＯＮＴＲＯＬ ＯＦ Ａ ＰＡＴＩＥＮＴ ＭＯＮＩＴＯＲＩＮＧ ＳＹＳＴＥＭという名称でＤｅｍｐｓｅｙに付与されたアメリカ合衆国特許Ｎｏ． ５，５７９，７７５により開示されている患者モニタシステムにはテレメトリサブシステムが設けられており、このサブシステムは１つまたは複数の生理学的監視機器から受け取った信号を表す高周波信号を監視し伝送する。Ｍｏｒｔａｒａの装置やＳｃｈｍｉｄｔ等の装置とは異なりＤｅｍｐｓｅｙには、システムのオペレーションをコントロールするためにバックチャネル機構において高周波信号を受信可能な受信用サブシステムが教示されている。しかしながらＤｅｍｐｓｅｙの装置は、プログラミングによるかさもなければ種々の生理学的信号に応答して入力信号を調整できたり変更できたりするようには構成されていない。この装置は、ＥＥＧ，ＥＫＧおよびＳｐＯ２などのような様々な生理学的信号を受け入れる目的については別個の監視セクションに頼っている。
【０００６】
やはりＤｅｍｐｓｅｙに付与されたアメリカ合衆国特許Ｎｏ． ５，４１７，２２２には、Ｉ／Ｏポートにおいてテレメトリモニタと相互接続可能なポータブルプロセッサが開示されている。Ｄｅｍｐｓｅｙのこの特許の装置に設けられているテレメトリモニタは、選択された生理学的信号を受け取る生理学モニタを有しており、この信号によって患者の特定の生理学的状態が表される。この生理学モニタは、たとえばＥＫＧなどのような特定の生理学的機能の信号を読み取る特定のタイプのモニタである。ＥＥＧなど異なる生理学的機能を監視すべきときには、異なる生理学的モニタを用いなければならない。詳しくはＤｅｍｐｓｅｙのこの特許には、プログラマブルプロセッサ（Ｈｅｗｌｅｔｔ Ｐａｃｋａｒｄ １００ＬＸ ｐａｌｍｔｏｐ ｐｒｏｃｅｓｓｏｒ）と生理学的モニタとのインタフェースについて開示されている。この装置は、異なる生理学的信号を受け入れるためにソフトウェアまたはその他のやり方によって生理学的モニタを整合させたり変更したりすることはできない。
【０００７】
Ｆｌｕｋｅ Ｃｏｒｐｏｒａｔｉｏｎ によれば、”Ｗｉｒｅｌｅｓｓ Ｌｏｇｇｅｒ”という商品名でワイヤレスデータ収集システムが製造されている。”Ｗｉｒｅｌｅｓｓ Ｌｏｇｇｅｒ”はＦｌｕｋｅ社のＨｙｄｒａ Ｄａｔａ Ｌｏｇｇｅｒという統合製品でありこれは携帯型の機器モニタ／アナライザであって、高周波モデムを用いて有線の外部入力を受け入れる。Ｈｙｄｒａ Ｄａｔａ Ｌｏｇｇｅｒには、外部入力を受け入れて調整する汎用入力モジュールが設けられている。結果として得られた信号はモデムを介して、パーソナルコンピュータと相互接続された他のモデムへ伝送される。別個のモデムならびに汎用入力モジュールはかなり大きく、１０Ｗに及ぶ電力を消費する。また、システムのオペレーションはソフトウェアによってプログラミングできない。ＲＦ Ｎｅｕｌｉｎｋによって、ＶＨＦ（１３６〜２８９ＭＨｚ）とＵＨＦ（４０３〜５１２ＭＨｚ）帯域を利用する同様のシステムが市販されている。
【０００８】
ＰＲＯＧＲＡＭＭＡＢＬＥ ＷＩＲＥＬＳＳ ＤＡＴＡ ＡＣＱＵＩＳＩＴＩＯＮ ＳＹＳＴＥＭという名称でＳｃｈｍｉｄｔ等に付与されたアメリカ合衆国特許Ｎｏ． ６，１６７，２５８によれば、異なる特性やレンジをもつ複数の外部入力を受け入れることのできる信号処理モジュールの使用について開示されている。Ｓｃｈｍｉｄｔ等のこの特許による装置はプログラミングによって外部入力を変換および調整し、それらの外部入力に対応するデータにより符号化された高周波信号を発生して、その信号を基地局へ送信する。
【０００９】
ＩＮＴＥＧＲＡＴＥＤ ＳＹＳＴＥＭ ＦＯＲ ＥＥＧ ＭＯＮＩＴＯＲＩＮＧ  ＡＮＤ ＥＬＥＣＴＲＩＣＡＬ ＳＴＩＭＵＬＡＴＩＯＮ ＷＩＴＨ Ａ ＭＵＬＴＩＰＬＩＣＩＴＹ ＯＦ ＥＬＥＣＴＲＯＤＥＳという名称でＦｉｓｃｈｅｌｌ等に付与されたアメリカ合衆国特許Ｎｏ． ６，２３０，０４９によれば、統合型ＥＥＧ監視および電気刺激システムが開示されており、このシステムには患者電子モジュールとＥＥＧ分析ワークステーションとの間にワイヤレスリンクが設けられている。
【００１０】
図１および図３には、患者データを監視および伝送する従来の試みが概略的に描かれている。これらの事例のいずれも、同じ患者に接続された装置が同じワイヤレス技術に基づいて患者モニタプロセッサまたは中央ステーションへデータを伝送するために使用されていない。したがって同じ基礎技術をベースとして、ひとりの患者に接続された複数のモニタにより収集された患者監視データを、それらのデータを表示し同期させ処理する目的で、患者モニタプロセッサなど他の機器へワイヤレスで伝送できるようにしたシステムに対するニーズが依然として存在している。
【００１１】
発明の概要
本発明によれば、患者に接続された１つまたは複数のセンサまたは機器により収集された患者監視データを、患者モニタプロセッサなど他の機器へワイヤレスで伝送することができるシステムが提供される。その際、伝送されたデータを表示したり同期合わせしたり、あるいは他のやり方で処理することができる。この場合、患者モニタプロセッサを患者のすぐ近くに配置してもよいし、あるいは患者監視システムのオペレーション方式に応じていくらか距離をおいて配置してもよい。ワイヤレスデータ伝送は双方向で動作し、つまり患者モニタプロセッサから患者に接続された機器へのデータ伝送も可能である。同じ患者に接続された機器はそのハードウェアをなんら変更することなく患者の状態に応じて、患者モニタプロセッサすなわち中央ステーションへデータを伝送するためにまたはそこからデータを受信するため、あるいは伝送と受信の双方のために用いられる。
【００１２】
図面の簡単な説明
図１は、従来技術による患者監視システムの概略図である。
【００１３】
図２は、本発明の原理に従って構成された患者監視システムの概略図である。
【００１４】
図３は、従来技術による患者監視テレメトリシステムの概略図である。
【００１５】
図４は、本発明の原理に従って構成されたワイヤレス患者監視システムの概略図である。
【００１６】
図５は、図２に示されているシステムで使用されているアンテナ装置の概略図である。
【００１７】
図６は、図２に示されているシステムで使用されている患者モニタプロセッサの概略図である。
【００１８】
本発明の詳細な説明
図２を参照すると、２ウェイワイヤレス患者監視システムが全体として参照符号１が付されて描かれている。患者２には複数の患者接続機器３，４が取り付けられている。患者接続機器３はたとえばＥＥＧセンサ５、二酸化炭素モニタ６およびＥＣＧセンサ７を有している。各センサ５，６，７は共通の機器３と相互接続されており、この機器は適切なデータ収集エレクトロニクスおよびアンテナ８と接続された高周波トランジスタを有している。さらにこの共通の機器３内にはマイクロプロセッサも設けられており、これによって機器３をピコネット内のスレーブステーションとして動作させることができる。患者接続機器４は患者接続機器３と同じように動作する。
【００１９】
患者モニタプロセッサ９には、マイクロプロセッサおよびアンテナ１０と相互接続された高周波トランシーバ１０が設けられている。患者接続機器３と患者モニタプロセッサ９との間で信号１１が伝送され、この場合、患者モニタプロセッサ９をそのハードウェアを何ら変更することなく、マスタステーションとしてまたはスレーブステーションとして動作させることができる。一例としてＢｌｕｅｔｏｏｔｈ標準など何らかの適切なプロトコルを利用してワイヤレスデータが伝送される。Ｂｌｕｅｔｏｏｔｈテクノロジーによって２．４５ＧＨｚ周波数帯の汎用無線インタフェースが提供され、これによれば携帯電子機器をショートレンジアドホックネットワーク（ｓｈｏｒｔ ｒａｎｇｅ ａｄ ｈｏｃ ｎｅｔｗｏｒｋ）を介してワイヤレスでリンクおよび通信させることができる。
【００２０】
Ｂｏｌｕｅｔｏｏｔｈテクノロジーについてはたとえば、Ｈａａｒｔｓｅｎ， ”Ｂｌｕｅｔｏｏｔｈ， Ｔｈｅ Ｕｎｉｖｅｒｓａｌ Ｒａｄｉｏ Ｉｎｔｅｒｆａｃｅ ｆｏｒ Ａｄ Ｈｏｃ， Ｗｉｒｅｌｅｓｓ Ｃｏｎｎｅｃｔｉｖｉｔｙ”， Ｅｒｉｓｓｏｎ Ｒｅｖｉｅｗ Ｎｏ． ３， １９９８， ｐ．１１０−１１７に記載されている。この事例ではマスタステーションとして動作する患者モニタプロセッサ９とスレーブステーションとして動作する患者接続機器３，４から成るワイヤレスセルまたはピコネット”ｐｉｃｏｎｅｔ”によって、患者接続機器３，４のいずれからも患者モニタプロセッサ９へ生理学的データを伝送できるようになり、その目的はデータの表示、データの解釈、複数の患者接続機器における動作の同期合わせにある。このアーキテクチャによってパーソナルエリアネットワーク１２が形成される。
【００２１】
図４も参照すると、同じ患者接続機器３，４（ここでは機器４は示されていない）が患者モニタプロセッサ９以外の機器へもデータを伝送することができる。詳しく説明すると、ここには患者２があるエリアから別のエリアへ搬送される状況が示されており、あるいは場合によっては患者が自身のエリアの周囲を十分に歩けるような状況が示されている。患者接続機器３はデータ信号を患者モニタプロセッサ９に伝送できるが、これと同時にまたは順次（連続して）、患者２の位置に応じてデータ信号１１を補助プロセッサ１３へも伝送することもできる。補助プロセッサ１３は慣用のネットワーク１５を介して中央ステーション１４と相互接続されている。
【００２２】
次に図５も参照すると、患者接続機器３内に収容されたワイヤレストランシーバの電力を、そのエリア内の他のピコネットとの干渉が最少となるよう、また、テレメトリ伝送のときに受信するステーションの数が最少となるよう調節可能である。既存のＢｌｕｅｔｏｏｔｈ仕様は、２つの通信機器が密接しているときに伝送電力が抑えられるように設計されている。電力消費を抑えることの利点は、患者接続機器３のバッテリ寿命が長くなることであり、さらに近くにある他のワイヤレス機器と干渉する可能性が低減されることである。理想的には双方の通信機器のアンテナが互いにできるかぎり近くにあるべきである。患者モニタプロセッサ９と接続されたＢｌｕｅｔｏｏｔｈのマスタアンテナ１０は、患者接続機器３のアンテナ８との距離を短くする目的で延長ケーブル１６の終端に配置されている。
【００２３】
本発明のシステム１２によって（患者接続機器３，４を介して得られる）生理学的信号の収集動作が、患者モニタプロセッサ９により実行される信号のバックエンド処理および表示動作から分離される。さらに図６も参照すると、患者モニタプロセッサ９は標準ワークステーションまたはウェブブラウザ装置である。患者モニタプロセッサ９はローカルエリアネットワーク１７と接続されており、患者モニタ用のローカルディスプレイとしての機能を実行だけでなく、どこか別の場所にいる医師の役に立つそのほかの情報も取り出す。その種の情報はたとえばローカルエリアネットワーク１７上の中央データベースサーバ１８に格納されており、あるいはその種の情報を病院ネットワーク２１全体の中で他の場所１９，２０に格納してもよい。さらに情報をインターネット２２から取得することもできる。また、患者モニタプロセッサ９をローカルディスプレイとしても使用できるし、ネットワークコネクション２３を介してアクセス可能な他の医療情報および非医療情報へのウィンドウとして利用してもよい。
【図面の簡単な説明】
【図１】
従来技術による患者監視システムの概略図である。
【図２】
本発明の原理に従って構成された患者監視システムの概略図である。
【図３】
従来技術による患者監視テレメトリシステムの概略図である。
【図４】
本発明の原理に従って構成されたワイヤレス患者監視システムの概略図である。
【図５】
図２に示されているシステムで使用されているアンテナ装置の概略図である。
【図６】
図２に示されているシステムで使用されている患者モニタプロセッサの概略図である。
【図１】
2004518483.tif 000003
【図２】
2004518483.tif 000004
【図３】
2004518483.tif 000005
【図４】
2004518483.tif 000006
【図５】
2004518483.tif 000007
【図６】
2004518483.tif 000008
【国際公開パンフレット】
2004518483.tif 000009
2004518483.tif 000010
2004518483.tif 000011
2004518483.tif 000012
2004518483.tif 000013
2004518483.tif 000014
2004518483.tif 000015
2004518483.tif 000016
2004518483.tif 000017
2004518483.tif 000018
2004518483.tif 000019
2004518483.tif 000020
2004518483.tif 000021
2004518483.tif 000022
2004518483.tif 000023
2004518483.tif 000024
【国際公開パンフレット（コレクトバージョン）】
2004518483.tif 000025
2004518483.tif 000026
【手続補正書】
【提出日】平成15年5月26日(2003.5.26)
【手続補正１】
【補正対象書類名】明細書
【補正対象項目名】特許請求の範囲
【補正方法】変更
【補正の内容】
【特許請求の範囲】
【請求項１】
患者エリアネットワークにおいて、
ａ）少なくとも１つの患者接続機器が設けられており、該機器は、患者から少なくとも１つの生理学的パラメータを検出して記憶するセンサと、患者モニタプロセッサと通信を行う無線周波数トランシーバを有しており、
ｂ）患者モニタプロセッサが設けられており、該プロセッサは、前記患者接続機器からワイヤレスで生理学的データを受信し、該患者接続機器にワイヤレスで命令を伝送し、該患者モニタプロセッサは、
ｉ）１つのセル内のマスタステーション
ｉｉ）１つのセル内のスレーブステーション
の一方として動作し、
該患者モニタプロセッサは、各患者接続機器から受け取った生理学的データを表示し、各患者接続機器から受け取った生理学的データを解釈し、各患者接続機器の動作を他のすべての患者接続機器と同期させることを特徴とする、
患者エリアネットワーク。
【請求項２】
各患者接続機器からのデータを送信および受信する中央ステーションが設けられている、請求項１記載の患者エリアネットワーク。
【請求項３】
前記中央ステーションは、各患者接続機器と通信を行う無線周波数トランシーバを有している、請求項２記載の患者エリアネットワーク。
【請求項４】
患者接続機器とセル内のいずれかのデータ受信機器との接近に応答して送信電力を低減するワイヤレスデータ伝送プロトコルが用いられる、請求項３記載の患者エリアネットワーク。
【請求項５】
マスタアンテナと、該マスタアンテナと前記患者モニタプロセッサとを相互接続する延長ケーブルが設けられており、該延長ケーブルにより患者接続機器と患者モニタプロセッサとの分離が低減される、請求項４記載の患者エリアネットワーク。
【請求項６】
前記患者モニタプロセッサはウェブブラウザを有する、請求項５記載の患者エリアネットワーク。
【請求項７】
前記患者モニタプロセッサはローカルエリアネットワークと相互接続されている、請求項６記載の患者エリアネットワーク。
【請求項８】
前記ローカルエリアネットワークはインターネットコネクションを有する、請求項７記載の患者エリアネットワーク。
【請求項９】
患者からの生理学的信号を監視する方法において、
患者に取り付けられた少なくとも１つの生理学的パラメータセンサを使用するステップと、
該生理学的パラメータセンサを第１のワイヤレストランシーバと相互接続するステップと、
生理学的データ信号を該第１のワイヤレストランシーバから患者モニタプロセッサへ伝送するステップと、
該患者モニタプロセッサを第２のワイヤレストランシーバと相互接続するステップと、
該第２のワイヤレストランシーバから前記第１のワイヤレストランシーバへ情報データを伝送するステップと、
前記患者モニタプロセッサを、
ａ）１つのワイヤレスセル内のマスターステーション、
ｂ）１つのワイヤレスセル内のスレーブステーション
の一方として選定するステップとを有しており、
該患者モニタプロセッサは、
各患者接続機器から受け取った生理学的データを表示するステップと、
各患者接続機器から受け取った生理学的データを解釈するステップと、
各患者接続機器の動作を他のすべての患者接続機器と同期させるステップを実行することを特徴とする、
患者からの生理学的信号を監視する方法。
【請求項１０】
補助プロセッサを中央ステーションと相互接続するステップと、
前記第１のワイヤレストランシーバから該補助プロセッサへデータを伝送するステップと、
該補助プロセッサから前記第１のワイヤレストランシーバへデータを伝送するステップを有する、
請求項９記載の方法。
【請求項１１】
前記の第１のワイヤレストランシーバと補助プロセッサとの間の経路長が減少すると伝送電力を低減するワイヤレスプロトコルを用いて、前記の第１のワイヤレストランシーバと補助プロセッサとの間で通信を行うステップを有する、請求項１０記載の方法。
【請求項１２】
延長ケーブルを用いてアンテナを前記第２のワイヤレストランシーバと相互接続し、それらの間の経路長を低減するステップを有する、請求項１１記載の方法。
【請求項１３】
前記患者モニタプロセッサをウェブブラウザとして構成するステップを有する、請求項１２記載の方法。
【請求項１４】
前記患者モニタプロセッサをローカルエリアネットワークと相互接続するステップを有する、請求項１３記載の方法。
【請求項１５】
前記ローカルエリアネットワークをインターネットコネクションとリンクするステップを有する、請求項１４記載の方法。
【請求項１６】
患者からの生理学的信号を監視する方法において、
患者に取り付けられた少なくとも１つの生理学的パラメータセンサを使用するステップと、
該生理学的パラメータセンサを患者接続機器の第１のワイヤレストランシーバと相互接続するステップと、
ａ）歩行可能患者モードとｂ）歩行不可能患者モードの少なくとも一方のために生理学的データ信号を調整するステップと、
患者モニタプロセッサを
ａ）１つのワイヤレスセル内のマスタステーション
ｂ）１つのワイヤレスセル内のスレーブステーション
の一方として指定するステップと、
該生理学的データ信号を前記第１のワイヤレストランシーバから患者モニタプロセッサへ伝送するステップを有しており、該患者モニタプロセッサは患者接続機器から前記生理学的データ信号をワイヤレスで受け取り、命令を患者へワイヤレスで伝送することを特徴とする、
患者からの生理学的信号を監視する方法。
【請求項１７】
前記の歩行可能患者モードと歩行不可能患者モードをユーザコマンドに応じて適応的に選択するステップを有する、請求項１６記載の方法。
【請求項１８】
前記伝送ステップにおいて、歩行可能患者モードと歩行不可能患者モードの双方に対し単一の送信機を使用する、請求項１６記載の方法。
【請求項１９】
患者に取り付けられたそれぞれ異なるタイプの複数の生理学的パラメータセンサを使用するステップと、
該複数の生理学的パラメータセンサを少なくとも１つのワイヤレストランシーバに相互接続するステップと、
ａ）歩行可能患者モードとｂ）歩行不可能患者モードの少なくとも一方のために、それぞれ異なるタイプの生理学的データをもつ生理学的データ信号を調整するステップと、
該生理学的データ信号を前記少なくとも１つのワイヤレストランシーバから患者モニタプロセッサへ伝送するステップを有する、
請求項１６記載の方法。
【請求項２０】
前記少なくとも１つのトランシーバにおいて対応するポートに前記生理学データ信号をダイナミックに割り当てるためにマップを利用するステップを有する、請求項１９記載の方法。
【請求項２１】
前記それぞれ異なるタイプの生理学的データには、
ａ）ＥＫＧデータ、ｂ）ＥＣＧデータ、ｃ）ＥＥＧデータ、ｄ）血圧データ、ｃ）呼吸データ、ｆ）血液パラメータデータ、ｇ）脈拍データ、ｈ）筋肉活動度関連データのうち少なくとも２つが含まれる、請求項１９記載の方法。
【手続補正２】
【補正対象書類名】明細書
【補正対象項目名】０００９
【補正方法】変更
【補正の内容】
【０００９】
ＩＮＴＥＧＲＡＴＥＤ ＳＹＳＴＥＭ ＦＯＲ ＥＥＧ ＭＯＮＩＴＯＲＩＮＧ  ＡＮＤ ＥＬＥＣＴＲＩＣＡＬ ＳＴＩＭＵＬＡＴＩＯＮ ＷＩＴＨ Ａ ＭＵＬＴＩＰＬＩＣＩＴＹ ＯＦ ＥＬＥＣＴＲＯＤＥＳという名称でＦｉｓｃｈｅｌｌ等に付与されたアメリカ合衆国特許Ｎｏ． ６，２３０，０４９によれば、統合型ＥＥＧ監視および電気刺激システムが開示されており、このシステムには患者電子モジュールとＥＥＧ分析ワークステーションとの間にワイヤレスリンクが設けられている。なお、アメリカ合衆国特許Ｎｏ． ６．５４４，１７３ならびにアメリカ合衆国特許Ｎｏ． ６，５４４，１７４も参照されたい。


【手続補正３】
【補正対象書類名】明細書
【補正対象項目名】００１０
【補正方法】変更
【補正の内容】
【００１０】
図１および図３には、患者データを監視および伝送する従来の試みが概略的に描かれている。これらの事例のいずれも、同じ患者に接続された装置が同じワイヤレス技術に基づいて患者モニタプロセッサまたは中央ステーションへデータを伝送するために使用されていない。したがって同じ基礎技術をベースとして、ひとりの患者に接続された複数のモニタにより収集された患者監視データを、それらのデータを表示し同期させ処理する目的で、患者モニタプロセッサなど他の機器へワイヤレスで伝送できるようにしたシステムに対するニーズが依然として存在している。


【手続補正４】
【補正対象書類名】明細書
【補正対象項目名】００１１
【補正方法】変更
【補正の内容】
【００１１】
発明の概要
本発明によれば、患者に接続された１つまたは複数のセンサまたは機器により収集された患者監視データを、患者モニタプロセッサなど他の機器へワイヤレスで伝送することができるシステムが提供される。その際、伝送されたデータを表示したり同期合わせしたり、あるいは他のやり方で処理することができる。この場合、患者モニタプロセッサを患者のすぐ近くに配置してもよいし、あるいは患者監視システムのオペレーション方式に応じていくらか距離をおいて配置してもよい。ワイヤレスデータ伝送は双方向で動作し、つまり患者モニタプロセッサから患者に接続された機器へのデータ伝送も可能である。同じ患者に接続された機器はそのハードウェアをなんら変更することなく患者の状態に応じて、患者モニタプロセッサすなわち中央ステーションへデータを伝送するためにまたはそこからデータを受信するため、あるいは伝送と受信の双方のために用いられる。




【国際調査報告】
2004518483.tif 000027
2004518483.tif 000028
2004518483.tif 000029
2004518483.tif 000030